(57)【要約】【課題】本発明は屋外用コップを開示した。【解決手段】保護殼を含み、コップを置き溝の中に挿した後に挟み板と挟み溝とがロックし、置き溝の中のコップをスライドさせない、緊束ベルトがコップを緊束し、緩衝ブロックとバネとがコップが落ちて壊れることを防止でき、コップの中の水を二次濾過することができ、濾過された水の質が更に良くなり、濾過紙を取り替えることができ、保護殼の中に置かれたコップは有効的に保護されて壊れることがなく、コップを体に縛り付けることができ、コップを掛けることもでき、携帯に便利である。【選択図】図１
2020179084.tif 000002
【特許請求の範囲】
【請求項１】
保護殼を含み、前記保護殼の中には補助部品が設けられ、前記補助部品は前記保護殼の内部に設けられた電球を含み、前記保護殼の左側端面には雄バックルが固定的に取り付けられ、前記保護殼の右側端面には雌バックルが固定的に取り付けられ、前記雄バックルと前記雌バックルとがつけられた後に体に縛り付けられることができ、前記保護殼の右側端面にはコップを掛けることができるフックが固定的に取り付けられ、前記補助部品は前記保護殼の外側端面に設けられたソーラーパネルと前記保護殼の内部に位置しているバッテリーを含み、前記保護殼の中には上方に開口した置き溝が設けられ、前記置き溝の中にはコップがスライドできるように係合し設けられ、前記置き溝と前記コップとの間には前記コップが落ちて壊れることを防ぐ防振部品が設けられ、前記防振部品は前記コップの外側端面に設けられた挟み溝を含み、前記置き溝の左右内壁には挟み板スライド溝が設けられ、前記挟み板スライド溝の中には前記挟み溝とロックすることができ、且つ前記コップを前記置き溝の中に固定する挟み板がスライドできるように係合し取り付けられ、前記置き溝の底壁には防振できるバネが固定的に取り付けられ、前記コップの内部には貯水チャンバが設けられ、前記貯水チャンバの中には水を濾過できる濾過部品が設けられ、前記濾過部品は前記貯水チャンバの中にスライドできるように係合し取り付けられたこし器を含み、前記こし器の中には濾過紙溝が設けられ、前記濾過紙溝の中には蓋板が固定的に取り付けられ、前記蓋板と前記こし器との間には水を一次濾過できる第一濾過紙が固定的に取り付けられ、前記こし器の底部端面には連結パイプがねじ山によって係合し取り付けられ、前記連結パイプの底部端面には固定ヘッドが中心に対称的に固定的に取り付けられ、前記濾過部品は濾過紙板も含み、前記濾過紙板の上側端面には二次濾過できる第二濾過紙が置かれており、前記濾過紙板には取り付け溝が中心に対称的に設けられ、前記取り付け溝が前記固定ヘッドとロックすることができ、前記第二濾過紙を前記濾過紙板と前記連結パイプとの間にきつく挟ませ、前記貯水チャンバの左側内壁には液面の高さを観察できる目盛りパイプが設けられることを特徴とする屋外用コップ。
【請求項２】
前記防振部品は左右に対称的に前記置き溝の内壁に設けられた緩衝ブロックも含み、前記保護殼の頂部端面には前記コップを緊束できる緊束ベルトが固定的に連結され、それによりコップを置き溝の中に挿した後に、挟み板と挟み溝とがロックし、置き溝の中のコップをスライドさせなく、緊束ベルトがコップを緊束し、緩衝ブロックとバネとがコップが落ちて壊れることを防止できることを特徴とする請求項１に記載の屋外用コップ。
【請求項３】
前記濾過部品はコップの頂部にねじ山によって係合し取り付けられた密封蓋も含み、前記密封蓋の中にはストローが固定的に密封し取り付けられ、前記ストローが前記こし器と、前記一次濾過紙と、前記蓋板と、前記第二濾過紙と前記濾過紙板とスライドできるように係合し、前記密封蓋の頂部端面には蓋がヒンジによって取り付けられ、前記蓋の中には圧着ブロックが設けられ、前記密封蓋の頂部端面には注水溝が設けられ、前記注水溝の下側には弁芯チャンバが設けられ、前記弁芯チャンバの頂壁には前記弁芯チャンバと互いに連通しているバネ溝が設けられ、前記弁芯チャンバの右側内壁と前記注水溝との間には給水パイプが連通し設けられ、前記弁芯チャンバの底壁には前記密封蓋の底部端面と互いに連通している排水パイプが設けられ、前記弁芯チャンバと前記バネ溝の中には弁芯がスライドできるように係合し取り付けられ、前記弁芯には固定ピンが固定的に取り付けられ、前記弁芯の頂部端面と前記バネ溝の頂壁との間には弁芯バネが固定的に取り付けられ、前記バネ溝と前記密封蓋の左側端面との間にはボタンがスライドできるように係合し取り付けられることを特徴とする請求項１に記載の屋外用コップ。
【請求項４】
水を入れる時に、水を注水溝の中に入れ、ボタンを押し、水が給水パイプと排水パイプによってこし器の中に入り、第一濾過紙が水を一次濾過し、濾過完了の水が連結パイプの中に入り、第二濾過紙が水を二次濾過し、ストローを使って水を飲み、目盛りパイプによって注入された水の液面の高さを観察でき、蓋を閉め、圧着ブロックがストローを圧着でき、漏れることを防止することを特徴とする請求項１に記載の屋外用コップ。
【発明の詳細な説明】
【技術分野】
【０００１】
本発明は屋外用品分野を取り上げて、具体的には屋外用コップである。
【背景技術】
【０００２】
戸外でキャンプをする時あるいはハイキングする時、見つけた水源には多くの不純物があり、一般的に直接に使用することができなく、一般的に濾過機能を持っているコップの濾過効果があまり良くなく、濾過の速度が遅い以上、ストレーナーが取り替えられなく、戸外で使用する時にコップが落ちて壊れやすく、携帯に不便である。
【先行技術文献】
【特許文献】
【０００３】
【特許文献１】中国特許出願公開第107280214号明細書
【発明の概要】
【発明が解決しようとする課題】
【０００４】
本発明の目的は屋外用コップを提供し、それは上記の現在の技術中の問題を解決できる。
【課題を解決するための手段】
【０００５】
本発明の屋外用コップは、保護殼を含み、前記保護殼の中には補助部品が設けられ、前記補助部品は前記保護殼の内部に設けられた電球を含み、前記保護殼の左側端面には雄バックルが固定的に取り付けられ、前記保護殼の右側端面には雌バックルが固定的に取り付けられ、前記雄バックルと前記雌バックルとがつけられた後に体に縛り付けられることができ、前記保護殼の右側端面にはコップを掛けることができるフックが固定的に取り付けられ、前記補助部品は前記保護殼の外側端面に設けられたソーラーパネルと前記保護殼の内部に位置しているバッテリーを含み、前記保護殼の中には上方に開口した置き溝が設けられ、前記置き溝の中にはコップがスライドできるように係合し設けられ、前記置き溝と前記コップとの間には前記コップが落ちて壊れることを防ぐ防振部品が設けられ、前記防振部品は前記コップの外側端面に設けられた挟み溝を含み、前記置き溝の左右内壁には挟み板スライド溝が設けられ、前記挟み板スライド溝の中には前記挟み溝とロックすることができ、且つ前記コップを前記置き溝の中に固定する挟み板がスライドできるように係合し取り付けられ、前記置き溝の底壁には防振できるバネが固定的に取り付けられ、前記コップの内部には貯水チャンバが設けられ、前記貯水チャンバの中には水を濾過できる濾過部品が設けられ、前記濾過部品は前記貯水チャンバの中にスライドできるように係合し取り付けられたこし器を含み、前記こし器の中には濾過紙溝が設けられ、前記濾過紙溝の中には蓋板が固定的に取り付けられ、前記蓋板と前記こし器との間には水を一次濾過できる第一濾過紙が固定的に取り付けられ、前記こし器の底部端面には連結パイプがねじ山によって係合し取り付けられ、前記連結パイプの底部端面には固定ヘッドが中心に対称的に固定的に取り付けられ、前記濾過部品は濾過紙板も含み、前記濾過紙板の上側端面には二次濾過できる第二濾過紙が置かれており、前記濾過紙板には取り付け溝が中心に対称的に設けられ、前記取り付け溝が前記固定ヘッドとロックすることができ、前記第二濾過紙を前記濾過紙板と前記連結パイプとの間にきつく挟ませ、前記貯水チャンバの左側内壁には液面の高さを観察できる目盛りパイプが設けられる。
【０００６】
更の技術プラン、前記防振部品は左右に対称的に前記置き溝の内壁に設けられた緩衝ブロックも含み、前記保護殼の頂部端面には前記コップを緊束できる緊束ベルトが固定的に連結される。
【０００７】
更の技術プラン、前記濾過部品はコップの頂部にねじ山によって係合し取り付けられた密封蓋も含み、前記密封蓋の中にはストローが固定的に密封し取り付けられ、前記ストローが前記こし器と、前記一次濾過紙と、前記蓋板と、前記第二濾過紙と前記濾過紙板とスライドできるように係合し、前記密封蓋の頂部端面には蓋がヒンジによって取り付けられ、前記蓋の中には圧着ブロックが設けられ、前記密封蓋の頂部端面には注水溝が設けられ、前記注水溝の下側には弁芯チャンバが設けられ、前記弁芯チャンバの頂壁には前記弁芯チャンバと互いに連通しているバネ溝が設けられ、前記弁芯チャンバの右側内壁と前記注水溝との間には給水パイプが連通し設けられ、前記弁芯チャンバの底壁には前記密封蓋の底部端面と互いに連通している排水パイプが設けられ、前記弁芯チャンバと前記バネ溝の中には弁芯がスライドできるように係合し取り付けられ、前記弁芯には固定ピンが固定的に取り付けられ、前記弁芯の頂部端面と前記バネ溝の頂壁との間には弁芯バネが固定的に取り付けられ、前記バネ溝と前記密封蓋の左側端面との間にはボタンがスライドできるように係合し取り付けられる。
【発明の効果】
【０００８】
本発明はコップの中の水を二次濾過することができ、濾過された水の質が更に良くなり、濾過紙を取り替えることができ、保護殼の中に置かれたコップは有効的に保護されて壊れることがなく、コップを体に縛り付けることができ、コップを掛けることもでき、携帯に便利であり、普及価値がある。
【図面の簡単な説明】
【０００９】
【図１】図１は本発明の全体構成略図
【図２】図２は図１のＡ−Ａの断面構成略図
【図３】図３は図１のＢ−Ｂの断面構成略図
【図４】図４は図１のＣの拡大構成略図
【図５】図５は図１のＤの拡大構成略図
【発明を実施するための形態】
【００１０】
以下、図１−５を合わせて本発明について詳しく説明し、また、説明の便利を図るため、下記に記載の上下左右前後方向が図１自身の投影関係の上下左右前後方向と一致することにする。
【００１１】
図１−５を参照し、本発明の屋外用コップは、保護殼１０を含み、前記保護殼１０の中には補助部品８０が設けられ、前記補助部品８０は前記保護殼１０の内部に設けられた電球１２を含み、前記保護殼１０の左側端面には雄バックル４４が固定的に取り付けられ、前記保護殼１０の右側端面には雌バックル１５が固定的に取り付けられ、前記雄バックル４４と前記雌バックル１５とがつけられた後に体に縛り付けられることができ、前記保護殼１０の右側端面にはコップを掛けることができるフック２２が固定的に取り付けられ、前記補助部品８０は前記保護殼１０の外側端面に設けられたソーラーパネル１９と前記保護殼１０の内部に位置しているバッテリー１１を含み、前記保護殼１０の中には上方に開口した置き溝５５が設けられ、前記置き溝５５の中にはコップ２０がスライドできるように係合し設けられ、前記置き溝５５と前記コップ２０との間には前記コップ２０が落ちて壊れることを防ぐ防振部品８１が設けられ、前記防振部品８１は前記コップ２０の外側端面に設けられた挟み溝１８を含み、前記置き溝５５の左右内壁には挟み板スライド溝１６が設けられ、前記挟み板スライド溝１６の中には前記挟み溝１８とロックすることができ、且つ前記コップ２０を前記置き溝５５の中に固定する挟み板１７がスライドできるように係合し取り付けられ、前記置き溝５５の底壁には防振できるバネ１３が固定的に取り付けられ、前記コップ２０の内部には貯水チャンバ２８が設けられ、前記貯水チャンバ２８の中には水を濾過できる濾過部品８２が設けられ、前記濾過部品８２は前記貯水チャンバ２８の中にスライドできるように係合し取り付けられたこし器２３を含み、前記こし器２３の中には濾過紙溝２５が設けられ、前記濾過紙溝２５の中には蓋板２７が固定的に取り付けられ、前記蓋板２７と前記こし器２３との間には水を一次濾過できる第一濾過紙２６が固定的に取り付けられ、前記こし器２３の底部端面には連結パイプ４０がねじ山によって係合し取り付けられ、前記連結パイプ４０の底部端面には固定ヘッド４２が中心に対称的に固定的に取り付けられ、前記濾過部品８２は濾過紙板４３も含み、前記濾過紙板４３の上側端面には二次濾過できる第二濾過紙４１が置かれており、前記濾過紙板４３には取り付け溝４５が中心に対称的に設けられ、前記取り付け溝４５が前記固定ヘッド４２とロックすることができ、前記第二濾過紙４１を前記濾過紙板４３と前記連結パイプ４０との間にきつく挟ませ、前記貯水チャンバ２８の左側内壁には液面の高さを観察できる目盛りパイプ３８が設けられる。
【００１２】
前記防振部品８１は左右に対称的に前記置き溝５５の内壁に設けられた緩衝ブロック２１も含み、前記保護殼１０の頂部端面には前記コップ２０を緊束できる緊束ベルト２４が固定的に連結され、それによりコップ２０を置き溝５５の中に挿した後に、挟み板１７と挟み溝１８とがロックし、置き溝５５の中のコップ２０をスライドさせなく、緊束ベルト２４がコップ２０を緊束し、緩衝ブロック２１とバネ１３とがコップ２０が落ちて壊れることを防止できる。
【００１３】
前記濾過部品８２はコップ２０の頂部にねじ山によって係合し取り付けられた密封蓋４６も含み、前記密封蓋４６の中にはストロー３５が固定的に密封し取り付けられ、前記ストロー３５が前記こし器２３と、前記一次濾過紙２６と、前記蓋板２７と、前記第二濾過紙４１と前記濾過紙板４３とスライドできるように係合し、前記密封蓋４６の頂部端面には蓋３１がヒンジによって取り付けられ、前記蓋３１の中には圧着ブロック３２が設けられ、前記密封蓋４６の頂部端面には注水溝３０が設けられ、前記注水溝３０の下側には弁芯チャンバ４７が設けられ、前記弁芯チャンバ４７の頂壁には前記弁芯チャンバ４７と互いに連通しているバネ溝４８が設けられ、前記弁芯チャンバ４７の右側内壁と前記注水溝３０との間には給水パイプ５１が連通し設けられ、前記弁芯チャンバ４７の底壁には前記密封蓋４６の底部端面と互いに連通している排水パイプ３９が設けられ、前記弁芯チャンバ４７と前記バネ溝４８の中には弁芯５０がスライドできるように係合し取り付けられ、前記弁芯５０には固定ピン５２が固定的に取り付けられ、前記弁芯５０の頂部端面と前記バネ溝４８の頂壁との間には弁芯バネ４９が固定的に取り付けられ、前記バネ溝４８と前記密封蓋４６の左側端面との間にはボタン３４がスライドできるように係合し取り付けられ、水を入れる時に、水を注水溝３０の中に入れ、ボタン３４を押し、水が給水パイプ５１と排水パイプ３９によってこし器２３の中に入り、第一濾過紙２６が水を一次濾過し、濾過完了の水が連結パイプ４０の中に入り、第二濾過紙４１が水を二次濾過し、ストロー３５を使って水を飲み、目盛りパイプ３８によって注入された水の液面の高さを観察でき、蓋３１を閉め、圧着ブロック３２がストロー３５を圧着でき、漏れることを防止し、長時間に使用された後に密封蓋４６を回して開け、こし器２３と連結パイプ４０とを貯水チャンバ２８の中から取り出し、蓋板２７を回して開け、蓋板２７と濾過紙溝２５とをロックさせなく、濾過紙溝２５を取り替えることができ、濾過紙板４３を回して固定ヘッド４２と取り付け溝４５とをロックさせなく、第二濾過紙４１を取り替えることができる。
【００１４】
使用する時：水を入れる時、水を注水溝３０の中に入れ、ボタン３４を押し、水が給水パイプ５１と排水パイプ３９によってこし器２３の中に入り、第一濾過紙２６が水を一次濾過し、濾過完了の水が連結パイプ４０の中に入り、第二濾過紙４１が水を二次濾過し、ストロー３５を使って水を飲み、目盛りパイプ３８によって注入された水の液面の高さを観察でき、蓋３１を閉め、圧着ブロック３２がストロー３５を圧着でき、漏れることを防止し、コップ２０を置き溝５５の中に挿した後に挟み板１７と挟み溝１８とがロックし、置き溝５５の中のコップ２０をスライドさせない、緊束ベルト２４がコップ２０を緊束し、緩衝ブロック２１とバネ１３とがコップ２０が落ちて壊れることを防止でき、前記雄バックル４４と前記雌バックル１５とがつけられた後に体に縛り付けられることができ、フック２２がコップを掛けることができ、電球１２が補助的に照明でき、長時間に使用された後に密封蓋４６を回して開け、こし器２３と連結パイプ４０とを貯水チャンバ２８の中から取り出し、蓋板２７を回して開け、蓋板２７と濾過紙溝２５とをロックさせなく、濾過紙溝２５を取り替えることができ、濾過紙板４３を回して固定ヘッド４２と取り付け溝４５とをロックさせなく、第二濾過紙４１を取り替えることができる。
【００１５】
本発明の有益効果は：本発明はコップの中の水を二次濾過することができ、濾過された水の質が更に良くなり、濾過紙を取り替えることができ、保護殼の中に置かれたコップは有効的に保護されて壊れることがなく、コップを体に縛り付けることができ、コップを掛けることもでき、携帯に便利であり、普及価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179084.tif 000003
【図２】
2020179084.tif 000004
【図３】
2020179084.tif 000005
【図４】
2020179084.tif 000006
【図５】
2020179084.tif 000007